(57)【要約】【課題】  従来の柄付きの浴槽掃除具は、パッド部を壁面に押付けて磨く時に、腕・膝・腰に過大な負担がかかり、非効率であった。横への角度拡縮・先方への長さ伸縮が自在で、脚・腰・腕への負担が軽く、効率的な浴槽掃除具を提供する。【解決手段】  柄の先に取付けたベース盤と、ベース盤に取付けた２本の腕部から成り、腕部は左右に自在の角度で開き、外郭パイプに嵌合して摺動する内郭パイプがスプリング式に伸縮し、浴槽の大きさに対応して、左右両壁面を同時に磨き、深い底面も立ったまま楽な姿勢で作業がはかどり、握る柄も自在ハンドルで力点の位置と角度調節もできて、腰・膝・腕への負担も軽く、効率的に作業遂行ができ、腕部も自在ハンドルも自在の角度・長さに折畳むことが出来る浴槽掃除具。【選択図】図１
2017080357.tif 000002
【特許請求の範囲】
【請求項１】
主要に、柄とその先に取付けられるベース盤とベース盤に取付けられる２本の腕部から成るが、ベース盤は、横長板状であり、片方の長手縁から直立的に立ち上るベース盤立ち上がり部を設け、ベース盤立ち上がり部の外側中央に直交的に取付けられた柄が伸びており、ベース盤立ち上がり部内側面において、その横長幅をほぼ三等分した中央域に、ベース盤立ち上がり部の高さと同等の高さ・厚みを持った角柱様の取付け肩部を設ける。ベース盤面上に於いて、この取付け肩部の両端を中心点として、前方〜左・右の角度域９０°で、ベース盤縁辺の内側に円弧状の細長いくり抜きを設けて蝶ナットスライド孔と成し、この蝶ナットスライド孔に於いて、取付け肩部の左右両端に蝶番で回動式に結合された２本の腕部は、今度は蝶ナット等の手段で移動式に結合され、この時、蝶ナットスライド孔から頭を出した蝶ナット側が表（おもて）面となるのであるが、腕部は一端を取付け肩部に蝶番結合された外郭パイプの内壁に嵌合摺動する内郭パイプから成り、外郭パイプにおいて、側面の両側を貫通する形で複数のピン穴が穿口され、背面の長手方向中心線に沿って、根元手前まで、細長くストッパースライド孔を穿口し、内郭パイプにおいて、外郭パイプの中に入り込む根元側端近くの背面に突き出て・バネ式で頭がパイプ内に沈む・ストッパーを設け、根元端面にスプリングを取付け、スプリングの外郭パイプ根元方向端にスプリング調節板を設ける。そこに於けるストッパーは、内郭パイプが外郭パイプから先方へ伸長されたり後方へ短く縮められたりする時に、ストッパースライド孔をスライドしつつ、ストッパースライド孔の先方端との接触地点において、内郭パイプが最大限に引っ張り出されても外れ飛び出すことが出来ない限界を構成するのであり、又、スプリング調節板は、ピンが差し込まれた穴の位置によって、内郭パイプが外郭パイプの中に入り込む深さの限界点に接触することになり、腕部の長さ調節を担うのであり、内郭パイプの尖端には、浴槽内の壁面・底面に当てがわれて擦り磨くパッド部が設けられるのであって、２本の腕部を、平行に前方に伸ばして使う場合、横直線状相反対方向に伸ばして使う場合、その中間方向に伸ばす場合等、腕部の方向は、外郭パイプの根元近くを・蝶ナットスライド孔を介してベース盤に締めつけ固定している・蝶ナットを緩めてスライド移動させ、好みの角度に合わせて蝶ナットを締めつけるという形で、左右相互独立的に自在に調節することが出来るのであり、腕部の長さも、ピンを好みのピン穴に差し込む形で、左右相互独立的に自在調節ができ、柄の手元側寄りの位置には、自在ハンドルが設けられ、緩めれば前後自由に位置移動ができ、３６０°自由に横回転もできて、好みの角度で固定することができるということを特徴とする浴槽の掃除具。
【発明の詳細な説明】
【技術分野】
【０００１】  本発明は、浴槽内を清掃するのに便利な掃除用具に関するものである。
【背景技術】
【０００２】  従来、浴槽の掃除は前後左右の壁面を上から掃除用具を押さえつけながら擦り、又は中にしゃがみ込んで四方の壁面・底面の五面を磨いて掃除していた。
【発明の概要】
【発明が解決しようとする課題】
【０００３】  従来、浴槽を掃除するには、かなり無理な姿勢で、上から柄を押さえつけながらパッド部で槽内壁面を擦り磨くのだが、この作業は腕と腰にかなりの負担がかかっていた。また、槽内にしゃがみ込み、膝をついて洗浄スポンジ等で五面を磨いていたが、この姿勢も腕・膝・腰に過重な負担がかかり、時間もかかり過ぎて、不釣り合いに多大な労力を要した。
本発明は、以上の様な問題点を解決するためになされたものである。
【課題を解決するための手段】
【０００４】  主要に、柄とその先に取付けられるベース盤とベース盤に取付けられる２本の腕部から成る。ベース盤は、横長板状であり、片方の長手縁から直立的に立ち上るベース盤立ち上がり部を設け、ベース盤立ち上がり部の外側中央に直交的に取付けられた柄が伸びている。ベース盤立ち上がり部内側面において、その横長幅をほぼ三等分した中央域に、ベース盤立ち上がり部の高さと同等の高さ・厚みを持った角柱様の取付け肩部を設ける。ベース盤面上に於いて、この取付け肩部の両端を中心点として、前方〜左・右の角度域９０°で、ベース盤縁辺の内側に円弧状の細長いくり抜きを設けて蝶ナットスライド孔と成す。この蝶ナットスライド孔に於いて、取付け肩部の左右両端に蝶番で回動式に結合された２本の腕部は、今度は蝶ナット等の手段で移動式に結合される。この時、蝶ナットスライド孔から頭を出した蝶ナット側が表（おもて）面となる。
腕部は一端を取付け肩部に蝶番結合された外郭パイプの内壁に嵌合摺動する内郭パイプから成る。外郭パイプにおいて、側面の両側を貫通する形で複数のピン穴が穿口され、背面の長手方向中心線に沿って、根元手前まで、細長くストッパースライド孔を穿口する。内郭パイプにおいて、外郭パイプの中に入り込む根元側端近くの背面に突き出て・バネ式で頭がパイプ内に沈む・ストッパーを設け、根元端面にスプリングを取付け、スプリングの外郭パイプ根元方向端にスプリング調節板を設ける。そこに於けるストッパーは、内郭パイプが外郭パイプから先方へ伸長されたり後方へ短く縮められたりする時に、ストッパースライド孔をスライドしつつ、ストッパースライド孔の先方端との接触地点において、内郭パイプが最大限に引っ張り出されても外れ飛び出すことが出来ない限界を構成する。又、スプリング調節板は、ピンが差し込まれた穴の位置によって、内郭パイプが外郭パイプの中に入り込む深さの限界点に接触することになり、腕部の長さ調節を担う。内郭パイプの尖端には、浴槽内の壁面・底面に当てがわれて擦り磨くパッド部が設けられる。
２本の腕部を、平行に前方に伸ばして使う場合、横直線状相反対方向に伸ばして使う場合、その中間方向に伸ばす場合等、腕部の方向は、外郭パイプの根元近くを・蝶ナットスライド孔を介してベース盤に締めつけ固定している・蝶ナットを緩めてスライド移動させ、好みの角度に合わせて蝶ナットを締めつけるという形で、左右相互独立的に自在に調節することが出来る。腕部の長さも、ピンを好みのピン穴に差し込む形で、左右相互独立的に自在調節ができる。柄の手元側寄りの位置には、自在ハンドルが設けられ、緩めれば前後自由に位置移動ができ、３６０°自由に横回転もできて、好みの角度で固定することができる。
以上を特徴とする浴槽の掃除具である。
【発明の効果】
【０００５】（イ）左右の腕部が、根元において回動式に蝶番結合され、蝶ナットスライド孔を介して移動式・角度調節式に結合されているので、自在な角度で拡縮固定することが出来、且つストッパースライド孔とそこに内設されたスプリングを介して、腕部の長さも自在に伸縮できるので、浴槽の大きさに適応して自在に、左右の側面を同時に磨掃したり、左右のパット部を横並びに揃えて幅広く効率的に底面を磨掃することが出来る。
（ロ）柄に設けられた自在ハンドルが、前後自由に移動でき、且つ３６０°自在に回動できるので、浴槽の深さ等に適応して、両腕それぞれの力点の位置角度を自由に調節でき、腕・腰・膝等への負担を軽減することができ、仕事の全体的な効率がアップする。
（ハ）腕部の角度・長さの調節と自在ハンドルの折畳みも自在なので、収納スペースの状況に応じ、周辺に置かれた他の物との隙間を巧みに利用しながら、混雑したスペースにも上手く納め置くことができる。
【図面の簡単な説明】
【０００６】
【図１】  本発明において、腕部を横一杯に開いた状態を示す正面図（一部パッド部のみ斜視図）
【図２】  本発明において、腕部を縦平行に揃えた状態を示す背面図
【図３】  図２に示される本発明において、ベース盤周辺に関する構造を分かり易く示した拡大斜視図
【図４】  図３における腕部の外郭パイプを透明にして内部構造を見せた斜視図
【発明を実施するための形態】
【０００７】  以下、本発明の実施の形態を説明する。
主要に、柄（１０）とその先に取付けられるベース盤（１）とベース盤（１）に取付けられる２本の腕部（１８）から成る。ベース盤（１）は、横長板状であり、片方の長手縁から直立的に立ち上るベース盤立ち上がり部（２）を設け、ベース盤立ち上がり部（２）の外側中央に直交的に取付けられた柄（１０）が伸びている。ベース盤立ち上がり部（２）内側面において、その横長幅をほぼ三等分した中央域に、ベース盤立ち上がり部（２）の高さと同等の高さ・厚みを持った角柱様の取付け肩部（３）を設ける。ベース盤（１）面上に於いて、この取付け肩部（３）の両端を中心点として、前方〜左・右の角度域９０°で、ベース盤（１）縁辺の内側に円弧状の細長いくり抜きを設けて蝶ナットスライド孔（８）と成す。この蝶ナットスライド孔（８）に於いて、取付け肩部（３）の左右両端に蝶番（４）で回動式に結合された２本の腕部（１８）は、今度は蝶ナット（９）等の手段で移動式に結合される。この時、蝶ナットスライド孔（８）から頭を出した蝶ナット（９）側が表（おもて）面となる。
腕部（１８）は一端を取付け肩部（３）に蝶番（４）結合された外郭パイプ（５）の内壁に嵌合摺動する内郭パイプ（６）から成る。外郭パイプ（５）において、側面の両側を貫通する形で複数のピン穴（１５）が穿口され、背面の長手方向中心線に沿って、根元手前まで、細長くストッパースライド孔（１３）を穿口する。内郭パイプ（６）において、外郭パイプ（５）の中に入り込む根元側端近くの背面に突き出て・バネ式で頭がパイプ内に沈む・ストッパー（１２）を設け、根元端面にスプリング（１６）を取付け、スプリング（１６）の外郭パイプ（５）根元方向端にスプリング調節板（１７）を設ける。そこに於けるストッパー（１２）は、内郭パイプが（６）外郭パイプ（５）から先方へ伸長されたり後方へ短く縮められたりする時に、ストッパースライド孔（１３）をスライドしつつ、ストッパースライド孔（１３）の先方端との接触地点において、内郭パイプ（６）が最大限に引っ張り出されても外れ飛び出すことが出来ない限界を構成する。又、スプリング調節板（１７）は、ピン（１４）が差し込まれた穴の位置によって、内郭パイプ（６）が外郭パイプ（５）の中に入り込む深さの限界点に接触することになり、腕部（１８）の長さ調節を担う。内郭パイプ（６）の尖端には、浴槽内の壁面・底面に当てがわれて擦り磨くパッド部（７）が設けられる。
２本の腕部（１８）を、平行に前方に伸ばして使う場合、横直線状相反対方向に伸ばして使う場合、その中間方向に伸ばす場合等、腕部（１８）の方向は、外郭パイプ（５）の根元近くを・蝶ナットスライド孔（８）を介してベース盤（１）に締めつけ固定している・蝶ナット（９）を緩めてスライド移動させ、好みの角度に合わせて蝶ナット（９）を締めつけるという形で、左右相互独立的に自在に調節することが出来る。腕部（１８）の長さも、ピン（１４）を好みのピン穴（１５）に差し込む形で、左右相互独立的に自在調節ができる。柄（１０）の手元側寄りの位置には、自在ハンドル（１１）が設けられ、緩めれば前後自由に位置移動ができ、３６０°自由に横回転もできて、好みの角度で固定することができる。
本発明は、以上の様な構成であり、以下その具体的な実施・使用形態について説明する。
本発明を使用する時は、左右の腕部（１８）を左右へ開いて蝶ナット（９）で固定し、浴槽の中に立ち、浴槽の幅よりやや長くなる位置でピン穴（１５）にピン（１４）を差し込むと、スプリング調節板（１７）の位置・従ってスプリング（１６）の伸縮限界が決まる。そこで、スプリング（１６）を軽く押し込みながらパッド部（７）を浴槽内壁に当てがい、片手に柄（１０）を持ち、もう一方の手で自在ハンドル（１１）を掴み、自在ハンドル（１１）は左回転で緩み、柄（１０）に沿ってスライドさせ、３６０°回転もするので、使い易い位置で固定させ、前後上下斜めに自在に左右の壁面を同時に磨くことができる。腕部（１８）を蝶ナットスライド孔（８）を介して角度移動させ、縦方向で蝶ナット（９）で固定すると、左右のパッド部（７）が横並びで２倍の幅となり、効率よく前後の壁面も底面もデッキブラシをかけるように、全て立ったまま無理なく磨くことが出来、時間も労力も大幅に軽減される。
又、柄（１０）に設けられた自在ハンドル（１１）が、前後自由に移動でき、且つ３６０°自在に回動できるので、浴槽の深さ等に適応して、両腕それぞれの力点の位置角度を自由に調節でき、腕・腰・膝等への負担を軽減することができ、仕事の全体的な効率がアップする。更に、腕部（１８）の角度・長さの調節と自在ハンドル（１１）の折畳みも自在なので、収納スペースの状況に応じ、周辺に置かれた他の物との隙間を巧みに利用しながら、混雑したスペースにも上手く納め置くことができる。
【符号の説明】
【０００８】１  ベース盤，      ２  ベース盤立ち上がり部，      ３  取付け肩部，
４  蝶番，      ５  外郭パイプ，      ６  内郭パイプ，      ７  パッド部，
８  蝶ナットスライド孔，      ９  蝶ナット，      １０  柄，
１１  自在ハンドル，    １２  ストッパー，    １３  ストッパースライド孔，
１４  ピン，    １５  ピン穴，      １６  スプリング，
１７  スプリング調節板，      １８  腕部
【図１】
2017080357.tif 000003
【図２】
2017080357.tif 000004
【図３】
2017080357.tif 000005
【図４】
2017080357.tif 000006